(57)【要約】  本発明は、情報指示およびリソース決定のための方法および装置ならびにコンピュータ記憶媒体を開示し、ＤＭＲＳポートリソースに占有されたリソースを示し、決定し、シグナリングオーバーヘッドの量を減らすことができる。本発明の実施形態によって提供される情報指示のための方法は、所定の構成テーブルに従って、端末によって占有されるべき復調参照信号（ＤＭＲＳ）ポートリソースの指示情報を決定するステップと、前記指示情報を前記端末に通知するステップとを備え、前記構成テーブルはＤＭＲＳグループ情報およびＤＭＲＳポート情報を含む。
2021503847.tif 000002
【特許請求の範囲】
【請求項１】
所定の構成テーブルに従って、端末によって占有されるべき復調参照信号（ＤＭＲＳ）ポートリソースの指示情報を決定するステップと、
前記指示情報を前記端末に通知するステップとを備え、
前記構成テーブルはＤＭＲＳグループ情報およびＤＭＲＳポート情報を含むことを特徴とする情報指示のための方法。
【請求項２】
前記ＤＭＲＳグループ情報は、ＤＭＲＳグループインデックス（ｇｒｏｕｐ ｉｎｄｅｘ）およびＤＭＲＳシンボルの数を含むことを特徴とする請求項１に記載の情報指示のための方法。
【請求項３】
前記ＤＭＲＳポート情報は、ＤＭＲＳポートインデックスを含むことを特徴とする請求項１に記載の情報指示のための方法。
【請求項４】
前記構成テーブルは構成インデックスをさらに含むことを特徴とする請求項１に記載の情報指示のための方法。
【請求項５】
前記指示情報は前記構成インデックスを含むことを特徴とする請求項４に記載の情報指示のための方法。
【請求項６】
前記構成テーブルは、ＤＭＲＳ構成層の数をさらに含むことを特徴とする請求項１に記載の情報指示のための方法。
【請求項７】
前記構成テーブルのＤＭＲＳポート割り当て原則は、
ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトすることを特徴とする請求項１に記載の情報指示のための方法。
【請求項８】
ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含み、
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含むことを特徴とする請求項７に記載の情報指示のための方法。
【請求項９】
前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数であることを特徴とする請求項１に記載の情報指示のための方法。
【請求項１０】
前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なることを特徴とする請求項１に記載の情報指示のための方法。
【請求項１１】
前記端末に前記所定の構成テーブルに対応するＤＭＲＳパイロットパターン指示情報を送信することを特徴とする請求項１に記載の情報指示のための方法。
【請求項１２】
ネットワーク側によって送信された端末によって占有されるべき復調参照信号（ＤＭＲＳ）ポートリソースの指示情報を受信するステップと、
所定の構成テーブルおよび前記指示情報に従って、前記端末によって占有されるべきＤＭＲＳポートリソースを決定するステップとを備え、
前記構成テーブルは、ＤＭＲＳグループ情報およびＤＭＲＳポート情報を含むことを特徴とするリソース決定のため方法。
【請求項１３】
ネットワーク側によって送信されたＤＭＲＳパイロットパターン指示情報を受信し、
前記ＤＭＲＳパイロットパターン指示情報に対応する前記所定の構成テーブルを決定することを特徴とする請求項１２に記載のリソース決定のため方法。
【請求項１４】
プログラム命令を格納するように構成されたメモリと、
前記メモリに格納されたプログラム命令を読み取り、取得されたプログラムに従って以下の動作を実行するように構成されたプロセッサとを備え、
前記プロセッサは、所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含み、
前記指示情報を前記端末に通知することを特徴とする情報指示のための装置。
【請求項１５】
前記ＤＭＲＳグループ情報は、ＤＭＲＳグループインデックス（ｇｒｏｕｐ ｉｎｄｅｘ）およびＤＭＲＳシンボルの数を含むことを特徴とする請求項１４に記載の情報指示のための装置。
【請求項１６】
前記ＤＭＲＳポート情報は、ＤＭＲＳポートインデックスを含むことを特徴とする請求項１４に記載の情報指示のための装置。
【請求項１７】
前記構成テーブルは構成インデックスをさらに含むことを特徴とする請求項１４に記載の情報指示のための装置。
【請求項１８】
前記指示情報は前記構成インデックスを含むことを特徴とする請求項１７に記載の情報指示のための装置。
【請求項１９】
前記構成テーブルは、ＤＭＲＳ構成層の数をさらに含むことを特徴とする請求項１４に記載の情報指示のための装置。
【請求項２０】
前記構成テーブルのＤＭＲＳポート割り当て原則は、
ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトすることを特徴とする請求項１４に記載の情報指示のための装置。
【請求項２１】
ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、
前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含み、
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含むことを特徴とする請求項２０に記載の情報指示のための装置。
【請求項２２】
前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数であることを特徴とする請求項１４に記載の情報指示のための装置。
【請求項２３】
前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なることを特徴とする請求項１４に記載の情報指示のための装置。
【請求項２４】
前記プロセッサは、
前記端末に前記所定の構成テーブルに対応するＤＭＲＳパイロットパターン指示情報を送信することを特徴とする請求項１４に記載の情報指示のための装置。
【請求項２５】
プログラム命令を格納するように構成されたメモリと、
前記メモリに格納されたプログラム命令を読み取り、取得されたプログラムに従って以下の動作を実行するように構成されたプロセッサとを備え、
前記プロセッサは、ネットワーク側によって送信された端末によって占有されるべき復調参照信号（ＤＭＲＳ）ポートリソースの指示情報を受信し、
所定の構成テーブルおよび前記指示情報に従って、前記端末によって占有されるべきＤＭＲＳポートリソースを決定し、前記構成テーブルは、ＤＭＲＳグループ情報およびＤＭＲＳポート情報を含むことを特徴とするリソース決定のための装置。
【請求項２６】
前記プロセッサは、
ネットワーク側によって送信されたＤＭＲＳパイロットパターン指示情報を受信し、
前記ＤＭＲＳパイロットパターン指示情報に対応する前記所定の構成テーブルを決定することを特徴とする請求項２５に記載のリソース決定のための装置。
【請求項２７】
所定の構成テーブルに従って、端末によって占有されるべき復調参照信号（ＤＭＲＳ）ポートリソースの指示情報を決定するように構成された決定ユニットと、
前記指示情報を前記端末に通知するように構成された指示ユニットとを備え、
前記構成テーブルはＤＭＲＳグループ情報およびＤＭＲＳポート情報を含むことを特徴とする情報指示のための装置。
【請求項２８】
ネットワーク側によって送信された端末によって占有されるべき復調参照信号（ＤＭＲＳ）ポートリソースの指示情報を受信するように構成された受信ユニットと、
所定の構成テーブルおよび前記指示情報に従って、前記端末によって占有されるべきＤＭＲＳポートリソースを決定するように構成された決定ユニットとを備え、
前記構成テーブルは、ＤＭＲＳグループ情報およびＤＭＲＳポート情報を含むことを特徴とするリソース決定のための装置。
【請求項２９】
コンピュータ記憶媒体であって、コンピュータ実行可能命令を格納し、コンピュータ実行可能命令がコンピュータによって実行されるとき、コンピュータは、請求項１から請求項１３のいずれか一項に記載の方法を実行する、コンピュータ記憶媒体。
【発明の詳細な説明】
【技術分野】
【０００１】
関連出願の相互参照
本出願は、２０１７年１１月１７日に中国特許局に提出し、出願番号が２０１７１１１４８７９８．４であり、発明名称が[情報指示およびリソース決定のための方法および装置ならびにコンピュータ記憶媒体]との中国特許出願を基礎とする優先権を主張し、その開示の総てをここに取り込む。
【０００２】
本発明は、通信技術分野に関し、特に情報指示およびリソース決定のための方法および装置ならびにコンピュータ記憶媒体に関する。
【背景技術】
【０００３】
第５世代（以下[５Ｇ]）の新しい無線（以下[ＮＲ]）では、アンテナポート間の直交性は、周波数分割多重化（Ｆｒｅｑｕｅｎｃｙ−ｄｉｖｉｓｉｏｎ ｍｕｌｔｉｐｌｅｘｉｎｇ，以下[ＦＤＭ]）または直交カバーコード（Ｏｒｔｈｏｇｏｎａｌ Ｃｏｖｅｒ Ｃｏｄｅ，以下[ＯＣＣ]）によって実現され得る。ＭＵ−ＭＩＭＯ（Ｍｕｌｔｉ−Ｕｓｅｒ Ｍｕｌｔｉｐｌｅ−Ｉｎｐｕｔ Ｍｕｌｔｉｐｌｅ−Ｏｕｔｐｕｔ）送信がサポートされる。ユーザデータのマッピングのためのリソースは、復調参照信号（Ｄｅｍｏｄｕｌａｔｉｏｎ Ｒｅｆｅｒｅｎｃｅ Ｓｉｇｎａｌ，以下[ＤＭＲＳ]）に占有されたリソースに従って決定されるものとする。すなわち、ＤＭＲＳに指定されていないリソースは、ユーザデータを送信するために使用され得る。シングルユーザ送信の場合、ユーザ機器（以下[ＵＥ]）は、ＤＭＲＳポートに占有されたリソースを知っているため、データのレートマッチングを直接実行できる。対照的に、ＭＵ−ＭＩＭＯ送信の複数のＵＥがデータのレートマッチングを実行するには、各ＵＥがＤＭＲＳポートに占有されたリソースだけでなく、他のＵＥのＤＭＲＳポートに占有されたリソースも知っている必要がる。ＵＥが非透過ＭＵ−ＭＩＭＯをサポートする必要がある場合。しかしながら、ＭＵ−ＭＩＭＯ送信のＵＥのＤＭＲＳポートに占有されたリソースを示すための既存の解決策はない。
【発明の概要】
【発明が解決しようとする課題】
【０００４】
本発明の実施形態は、情報指示およびリソース決定のための方法および装置ならびにコンピュータ記憶媒体を提供して、ＤＭＲＳポートリソースに占有されたリソースを示し、決定し、シグナリングオーバーヘッドの量を減らすことができる。
【課題を解決するための手段】
【０００５】
本発明の実施形態によって提供される情報指示のための方法は、
所定の構成テーブルに従って、端末によって占有されるべき復調参照信号（ＤＭＲＳ）ポートリソースの指示情報を決定するステップと、
前記指示情報を前記端末に通知するステップとを備え、
前記構成テーブルはＤＭＲＳグループ情報およびＤＭＲＳポート情報を含む。
【０００６】
このように、当該情報指示のための方法によれば、所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含み、前記指示情報を前記端末に通知する。これにより、ＤＭＲＳポートのリソース占有状態の指示、および端末による占有すべき復調参照信号（ＤＭＲＳ）ポートリソースの決定が実現され得る。構成テーブルはＤＭＲＳグループ情報およびＤＭＲＳポート情報を含むため、ＤＭＲＳグループ情報とＤＭＲＳポート情報を別々に送信する場合と比較して、シグナリングオーバーヘッドを削減できる。
【０００７】
任意選択で、前記ＤＭＲＳグループ情報は、ＤＭＲＳグループインデックス（ｇｒｏｕｐ ｉｎｄｅｘ）およびＤＭＲＳシンボルの数を含む。
【０００８】
任意選択で、前記ＤＭＲＳポート情報は、ＤＭＲＳポートインデックスを含む。
【０００９】
任意選択で、前記構成テーブルは構成インデックスをさらに含む。
【００１０】
任意選択で、前記指示情報は前記構成インデックスを含む。
【００１１】
任意選択で、前記構成テーブルは、ＤＭＲＳ構成層の数をさらに含む。
【００１２】
任意選択で、前記構成テーブルのＤＭＲＳポート割り当て原則は、
ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトする。
【００１３】
任意選択で、ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含み、
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含む。
【００１４】
任意選択で、前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数である。
【００１５】
任意選択で、前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なる。
【００１６】
任意選択で、前記端末に前記所定の構成テーブルに対応するＤＭＲＳパイロットパターン指示情報を送信する。
【００１７】
本発明の実施形態によって提供されるリソース決定のため方法は、
ネットワーク側によって送信された端末によって占有されるべき復調参照信号（ＤＭＲＳ）ポートリソースの指示情報を受信するステップと、
所定の構成テーブルおよび前記指示情報に従って、前記端末によって占有されるべきＤＭＲＳポートリソースを決定するステップとを備え、
前記構成テーブルは、ＤＭＲＳグループ情報およびＤＭＲＳポート情報を含む。
【００１８】
任意選択で、ネットワーク側によって送信されたＤＭＲＳパイロットパターン指示情報を受信し、
前記ＤＭＲＳパイロットパターン指示情報に対応する前記所定の構成テーブルを決定する。
【００１９】
本発明の実施形態によって提供される情報指示のための装置は、
プログラム命令を格納するように構成されたメモリと、
前記メモリに格納されたプログラム命令を読み取り、取得されたプログラムに従って以下の動作を実行するように構成されたプロセッサとを備え、
前記プロセッサは、所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含み、
前記指示情報を前記端末に通知する。
【００２０】
任意選択で、前記ＤＭＲＳグループ情報は、ＤＭＲＳグループインデックス（ｇｒｏｕｐ ｉｎｄｅｘ）およびＤＭＲＳシンボルの数を含む。
【００２１】
任意選択で、前記ＤＭＲＳポート情報は、ＤＭＲＳポートインデックスを含む。
【００２２】
任意選択で、前記構成テーブルは構成インデックスをさらに含む。
【００２３】
任意選択で、前記指示情報は前記構成インデックスを含む。
【００２４】
任意選択で、前記構成テーブルは、ＤＭＲＳ構成層の数をさらに含む。
【００２５】
任意選択で、前記構成テーブルのＤＭＲＳポート割り当て原則は、ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトする。
【００２６】
任意選択で、ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含み、
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含む。
【００２７】
任意選択で、前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数である。
【００２８】
任意選択で、前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なる。
【００２９】
任意選択で、前記プロセッサはさらに、
前記端末に前記所定の構成テーブルに対応するＤＭＲＳパイロットパターン指示情報を送信する。
【００３０】
本発明の実施形態によって提供されるリソース決定のための装置は、
プログラム命令を格納するように構成されたメモリと、
前記メモリに格納されたプログラム命令を読み取り、取得されたプログラムに従って以下の動作を実行するように構成されたプロセッサとを備え、
前記プロセッサは、ネットワーク側によって送信された端末によって占有されるべき復調参照信号（ＤＭＲＳ）ポートリソースの指示情報を受信し、
所定の構成テーブルおよび前記指示情報に従って、前記端末によって占有されるべきＤＭＲＳポートリソースを決定し、前記構成テーブルは、ＤＭＲＳグループ情報およびＤＭＲＳポート情報を含む。
【００３１】
任意選択で、前記プロセッサはさらに、ネットワーク側によって送信されたＤＭＲＳパイロットパターン指示情報を受信し、
前記ＤＭＲＳパイロットパターン指示情報に対応する前記所定の構成テーブルを決定する。
【００３２】
本発明の実施形態によって提供される情報指示のための別の装置は、
所定の構成テーブルに従って、端末によって占有されるべき復調参照信号（ＤＭＲＳ）ポートリソースの指示情報を決定するように構成された決定ユニットと、
前記指示情報を前記端末に通知するように構成された指示ユニットとを備える。
【００３３】
本発明の実施形態によって提供されるリソース決定のための別の装置は、
ネットワーク側によって送信された端末によって占有されるべき復調参照信号（ＤＭＲＳ）ポートリソースの指示情報を受信するように構成された受信ユニットと、
所定の構成テーブルおよび前記指示情報に従って、前記端末によって占有されるべきＤＭＲＳポートリソースを決定するように構成された決定ユニットと、前記構成テーブルは、ＤＭＲＳグループ情報およびＤＭＲＳポート情報を含む。
【００３４】
本発明の別の実施形態は、コンピュータ記憶媒体を提供する。前記コンピュータ記憶媒体はコンピュータ実行可能命令を格納し、前記コンピュータ実行可能命令が前記コンピュータによって実行されるとき、上記いずれの方法を実行する。
【図面の簡単な説明】
【００３５】
本発明に係る実施例や従来の技術スキームをより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００３６】
【図１】本発明の実施形態によって提供される通常のサイクリックプレフィックス（以下、[ＣＰ]）ダウンリンクサブフレームにおけるＤＭＲＳリソースの概略図である。
【図２】本発明の実施形態によって提供される第１のＤＭＲＳパイロットパターンの概略図である。
【図３】本発明の実施形態によって提供される第２のＤＭＲＳパイロットパターンの概略図である。
【図４】本発明の実施形態によって提供される第３のＤＭＲＳパイロットパターンの概略図である。
【図５】本発明の実施形態によって提供される第４のＤＭＲＳパイロットパターンの概略図である。
【図６】本発明の実施形態によって提供される情報指示のための方法のフローチャートである。
【図７】本発明の実施形態によって提供されるリソース決定方法のフローチャートである。
【図８】本発明の実施形態によって提供される情報指示のための装置の構造の概略図である。
【図９】本発明の実施形態によって提供されるリソース決定のための装置の構造の概略図である。
【図１０】本発明の実施形態によって提供される情報指示のための第２の装置の構造の概略図である。
【図１１】本発明の実施形態によって提供されるリソース決定のための第２の装置の構造の概略図である。
【発明を実施するための形態】
【００３７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００３８】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）新しい無線（Ｎｅｗ ｒａｄｉｏ，ＮＲ）等に応用できる。
【００３９】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザ設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザ設備は、ＭＴ（Ｃｅｌｌｕｌａｒ  ｐｈｏｎｅとも呼ばれる）、無線通信機能を有するコンピュータなどを含むこともできる。ユーザ設備は、携帯式、ポケット式、手持ち式、コンピュータに内蔵されるかまたは、車載の移動装置であることもできる。
【００４０】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【００４１】
本発明の実施形態は、情報指示およびリソース決定のための方法および装置ならびにコンピュータ記憶媒体を提供し、ＤＭＲＳポートリソースに占有されたリソースを示し、決定し、シグナリングオーバーヘッドの量を減らすことができる。
【００４２】
ＬＴＥ（Ｌｏｎｇ Ｔｅｒｍ Ｅｖｏｌｕｔｉｏ）システムでは、ＵＥは、ＵＥ固有のＤＭＲＳに従ってチャネル推定を実行することができる。ＤＭＲＳ信号とユーザデータは同じプリコーディングプロセスを通過する。ＬＴＥ（Ｒｅｌ−１０以上）は、ＯＣＣ（Oｒｔｈｏｇｏｎａｌ Ｃｏｖｅｒ Ｃｏｄｅ）またはＯＦＤＭを介して直交化された８つのＤＭＲＳポート（以下、[ポート]）、すなわち、図１に示すポート７-１４ポート７、８、１１、１３がサブキャリアのグループ上の同じＲＥを多重利用し、ＯＣＣを使用して識別される。ポート９、１０、１２、および１４別のサブキャリアグループの同じＲＥを多重利用し、ＯＣＣを使用して識別される。
【００４３】
透過的な送信を実現し、ＤＭＲＳのオーバーヘッドによって占有される時間/周波数ＲＥの数を減らすために、ＬＴＥ Ｒｅｌ−１０のＭＵ−ＭＩＭＯ層信モードはポート７と８のみを使用する。つまり、ＯＣＣによって直交する２つのＤＭＲＳをゆうする。また、異なるデータストリームに割り当てられ、同じポートで送信されるＤＭＲＳは準直交（データチャネルと同じプリコーディング/ビーム形成および異なるスクランブルシーケンス）モード識別できる。ポート７および８のみがＤＭＲＳの送信に使用される場合、ＯＣＣの長さは２である。
【００４４】
以下の表１に示すように、ダウンリンク制御情報（Ｄｏｗｎｌｉｎｋ Ｃｏｎｔｒｏｌ Ｉｎｆｏｒｍａｔｉｏｎ，以下[ＤＣＩ]）は、ＵＥに割り当てられたＤＭＲＳポート（複数可）と、ＤＭＲＳスクランブルシーケンスを記述するスクランブル標識（Ｓｃｒａｍｂｌｉｎｇ ｉｄｅｎｔｉｔｙ，以下[ｎＳＣＩＤ]）の両方の指示を含む。
【００４５】
【表１】
2021503847.tif 000003
【００４６】
第３世代パートナーシッププロジェクト（以下[３ＧＰＰ]）標準における大規模アンテナの初期技術としての全次元ＭＩＭＯ（以下[ＦＤ−ＭＩＭＯ]）の議論では、直交ＤＭＲＳの数はより多くのUE、たとえばポート７、８、１１、１３がＤＭＲＳ送信に使用され、ＯＣＣの長さは４ビットである。
【００４７】
ＬＴＥでは、直交ＤＭＲＳポートの数の増加は、対応するＤＭＲＳパイロットパターンを変更しないであろう。UEが自分に割り当てられたポートを知っている限り、固定のＤＭＲＳパイロットパターンに従って情報の検出と復調を実行できる。
【００４８】
５Ｇ ＮＲプロジェクトは、ＤＭＲＳパイロットパターンを再設計および再定義して、処理遅延を最小化し、システム性能を改善する。さまざまな新しいＤＭＲＳパイロットパターンがあり、具体的に以下のように構成される。
【００４９】
構成（Ｃｏｎｆｉｇｕｒａｔｉｏｎ）１：
ＤＭＲＳシンボルの数が１の場合、組み合わせ（Ｃｏｍｂｉｎａｔｉｏｎ，ｃｏｍｂ）２＋巡回シフト（ｃｙｃｌｉｃ ｓｈｉｆｔｓ，ＣＳ）２が採用され、最大４つのポートがサポートされる。
【００５０】
図２に示されるように、ｃｏｍｂ２は周波数領域多重化であり、例えば、ポート０と２の間の多重化関係はｃｏｍｂ２である。ＣＳ２は、ポートで送信されるシーケンスを循環シフト（ｃｙｃｌｉｃ ｓｈｉｆｔｓ）することを指す。たとえば、ポート０と１の間の多重化関係はＣＳ２である。
【００５１】
ＤＭＲＳシンボルの数が２である場合、ｃｏｍｂ２+ＣＳ２+ ＴＤ−ＯＣＣ ({１，１}および{１，-１}）が採用され、最大８つのポートがサポートされる。ＴＤ−ＯＣＣ（{１、１}および{１、-１}）は２つのポートのＴＤ−ＯＣＣ多重化を指し、（{１、１}および{１、-１}）それぞれは２つのポートの多重化係数である。
【００５２】
図３に示すように、ＴＤ−ＯＣＣは、時間領域のＯＣＣ（Orthogoｎal Cover Code）を表す。たとえば、ポート０/１および４/５はＴＤ−ＯＣＣで多重化される。ここで、ポート０および１はＣＳ２で多重化され、ポート４および５は時間領域のＯＣＣで多重化される。
【００５３】
Ｃｏｎｆｉｇｕｒａｔｉｏｎ ２：
ＤＭＲＳシンボルの数が１である場合、２−ＦＤ-ＯＣＣ（隣接流端数領域リソースユニット（Ｒｅｓｏｕｒｃｅ Ｅｌｅｍｅｎｔ，ＲＥ））が採用され、最大６つのポートがサポートされる。
【００５４】
図４に示すように、２−ＦＤ−ＯＣＣは、周波数領域のＯＣＣ多重化である。たとえば、ポート０と１はＯＣＣで周波数が多重化されている。ポート０または１の間は、周波数領域のＯＣＣ多重化である。ＦＤＭによって別のポートと多重化される。たとえば、ポート０/１と２/３はＦＤＭが採用される。
【００５５】
ＤＭＲＳシンボルの数が２である場合、２−ＦＤ-ＯＣＣ（隣接周波数領域ＲＥ）+ ＴＤ−ＯＣＣ ({１，１}および{１，-１})が採用され、最大１２のポートがサポートされる。
【００５６】
図５に示すように、ＴＤ−ＯＣＣは、時間領域ＯＣＣ（（Orthogoｎal Cover Code））を表す。たとえば、ポート０/１および６/７はＴＤ−ＯＣＣで多重化される。
【００５７】
様々なＤＭＲＳパイロットパターンから、ｃｏｎｆｉｇｕｒａｔｉｏｎ１が選択されたとき、図２に示されるパターンは、サポートされるポートの最大数が４以下であるか、または４に等しい場合の構成に使用され得ることが分かる。図３に示すパターンは、サポートされるポートの最大数が４より大きく８以下の場合に使用できる。構ｃｏｎｆｉｇｕｒａｔｉｏｎ２を選択すると、図４に示すパターンは、サポートされているポートが６以下であるか、またはサポートされているポートの最大数が６より大きく１２以下である場合、図５に示すパターンを使用できる。ここでサポートされているポートの数は、各リソース位置上で多重化されたすべてのUEのポートの総数である。
【００５８】
また、図１および図２から５において、最初の２列は制御シンボルフィールド、つまりダウンリンク制御チャネルにより占有されるシンボル位置を表し、最後の２列はアップリンク制御チャネルが占めるシンボル位置、つまりPDＳCHが占有できないシンボルであるシンボルリソースを表す。
【００５９】
ＮＲシステムでは、ＤＣＩ情報は、アンテナポート、スクランブルＩＤおよび層の数などの複数のアンテナに関する情報を含む。ただし、複数のアンテナに関する情報には、ＤＭＲＳ構成に必要な情報も含める必要がある。
【００６０】
したがって、５G NRでは、アンテナポート間の直交性は、ＭＵ−ＭＩＭＯ送信をサポートするためにＦＤＭまたはＯＣＣで実現されてもよい。ユーザデータリソースマッピングは、割り当てられたＤＭＲＳリソースによって決定される。すなわち、ＤＭＲＳに占有されていないリソースは、ユーザデータを送信するために使用され得る。シングルユーザ送信の場合、ＵＥは、ＵＥのＤＭＲＳポートに占有されたリソースを知っているため、データのレートマッチングを直接実行できる。対照的に、ＭＵ−ＭＩＭＯ送信の複数のＵＥがデータのレートマッチングを実行するには、各ＵＥがＤＭＲＳポートに占有されたリソースだけでなく、他のＵＥのＤＭＲＳポートに占有されたリソースも知っている必要があるため、ＵＥが非透過ＭＵ−ＭＩＭＯをサポートする必要がある場合。したがって、ＭＵ−ＭＩＭＯ送信のＵＥは、ＤＭＲＳポートに占有されたリソースを示す必要がある。本明細書における[ユーザ]という語は、ＵＥとして理解され得る。
【００６１】
例として、図５によって示されるＤＭＲＳパターンを取り上げる。ＤＭＲＳシンボルの数が１である場合、ポート０/１は、コード分割多重化（以下、[ＣＤＭ]）を使用して多重化され、ポート２/３、ポート０/１と２/３は、ＦＤＭを使用して多重化される。標準で定義されているように、ＤＭＲＳグループは同じＣＤＭグループのポートで構成されている。同様に、ＤＭＲＳシンボルの数が２の場合、ＤＭＲＳグループは同じＣＤＭグループの４つのポートで構成される。
【００６２】
ＤＭＲＳポート情報指示では、ＵＥは非透過ＭＵ−ＭＩＭＯを必要とするため、端末にポート情報を割り当てるとき、単一のＵＥに占有されたポートに関する情報だけでなく、他のすべてのＭＵ−ＭＩＭＯのＵＥに占有されたポートに関する情報も、レートマッチングのために各ＵＥに送信されるべきである。
【００６３】
ＤＭＲＳグループ情報の形で、Ｍｕ−ＭＩＭＯのすべてのユーザＤＭＲＳポートに占有されたリソース状態を端末に通知する。各ＵＥに送信され得る。ＤＭＲＳグループ情報はシグナリングを介して送信されないため、ＤＭＲＳグループ情報は、ＤＭＲＳ構成テーブル（たとえば、下記のテーブル３に示すように、ＤＭＲＳ構成インデックス、ＤＭＲＳ層の数およびポートインデックスの対応関係）を通知することを考慮する。前記ＤＭＲＳグループ情報には、各ＤＭＲＳグループに含まれるポートに関する情報、ＤＭＲＳグループインデックスに関する情報、ＤＭＲＳシンボルの数に関する情報が含まれる。
【００６４】
スキーム１：
本発明の実施形態によるＤＭＲＳグループは、ＣＤＭをグループである。つまり、表２に示すように、ＤＭＲＳシンボルの数が１の場合、ＤＭＲＳグループは２つのポートで構成され、ＤＭＲＳシンボルの数が２の場合、ＤＭＲＳグループは４つのグループで構成される。
【００６５】
【表２】
2021503847.tif 000004
【００６６】
さらに説明する。図２−５において、同じ充填パターン（たとえば、図２のポート０と１、またはポート２と３）で示される複数のＤＭＲＳポート間の関係は、ｃｏｍｂ、ＣＳまたはＯＣＣであり、このようなＤＭＲＳポートは、ＣＤＭグループ、すなわちＤＭＲＳグループである。異なる充填パターンで（図２のポート０/１の充填パターンは、２/３の充填パターンとことなる）示されているＤＭＲＳポート間の関係は、ＦＤＭである。ＦＤＭのポートは、異なるＣＤＭグループに含まれる。各ＣＤＭグループは、１つのＤＭＲＳグループとして定義される。
【００６７】
ＤＭＲＳシンボルの数が変化すると、ＤＭＲＳグループに含まれるポートの数が変化する。したがって、ＤＭＲＳグループ情報に加えて、ＤＭＲＳシンボルの数に関する情報をＤＭＲＳ構成テーブルに追加する必要がある。サポートされる最大ＤＭＲＳシンボルの数は、標準に従ってＲＲＣシグナリングを介して設定されるが、実際のＤＭＲＳシンボルの数は、ＲＲＣシグナリングによって設定された最大ＤＭＲＳシンボルの数以下になる場合がある。
【００６８】
本明細書におけるポートは、ＤＭＲＳポート（アンテナポートとも称される）を指すことに留意されたい。
【００６９】
表３に示されるように、ＤＭＲＳ構成テーブルの場合、ＤＭＲＳポートの３２の異なる構成を示すために５ビットのシグナリングが必要である。ＤＭＲＳグループもともに示す場合、３つの異なるＤＭＲＳグループ（表２に示すように）を示すために、別の２ビットシグナリングが必要である。表２に示すように、２つの異なるＤＭＲＳシンボルの数を示すには、さらに別の１ビットシグナリングが必要である。したがって、シグナリングには合計８ビットが必要である。
【００７０】
【表３】
2021503847.tif 000005
【００７１】
表３の層の数、すなわち、同時に送信されるデータストリームの数は、並行して送信されるデータストリームの数を示す。
【００７２】
シグナリングオーバーヘッドをさらに低減するために、ＤＭＲＳグループインデックスおよびＤＭＲＳシンボルの数およびポート情報（例えば、ＤＭＲＳ構成インデックス、ＤＭＲＳ層の数およびポートインデックスの数が含まれる）は、表４によって示されるように同一の構成テーブルによって示される。
【００７３】
本発明の実施形態による構成テーブルの構成中に、以下のポート割り当て原則が考慮される。
【００７４】
ネットワーク側装置がポート０から始めてポートをすべてのＵＥに割り当てるとき、割り当てられたポートが高いＤＭＲＳグループインデックスを有するＤＭＲＳグループに属する場合、より低いＤＭＲＳグループインデックスを有するＤＭＲＳグループも占有られたとデフォルトする。たとえば、インデックスが１のＤＭＲＳグループに属するポート２がユーザに割り当てられている場合、構成に従って、ＤＭＲＳグループインデックス０およびＤＭＲＳグループインデックス１のＤＭＲＳグループがすべてのＭＵ−ＭＩＭＯ ＵＥに割り当てられます。
【００７５】
表４によって示される構成テーブルの第１の列は、ＤＭＲＳ構成インデックスを示し、第２の列は、各ＵＥのために構成された層の数、第３の列は、各ユーザ構成層の数に対応するＤＭＲＳポートインデックス、第４の列はすべてのＭＵ−ＭＩＭＯ ＵＥのポートのＤＭＲＳグループインデックス（たとえば、グループ０/１はＤＭＲＳグループインデックス０と１が含まれることを意味する）、最後の列は構成されたＤＭＲＳシンボルの数である。
【００７６】
なお、図２−図５において、ＤＭＲＳシンボルの数が１の場合、サポートされるポートの最大数がN１であると仮定し、ＤＭＲＳシンボルの数が２の場合、サポートされるポートの最大数がN２であり、ポートインデックス番号が０から開始すると仮定する。
【００７７】
ケース１：最大ＤＭＲＳポートインデックスがＮ１−１よりも大きい場合、現在構成されたＭｕ−ＭＩＭＯのポートの総数がＮ１を越え、第２のＤＭＲＳシンボルが必ず存在し、すなわち、ＤＭＲＳに２つのＯＦＤＭシンボルが含まれるとみなされる。
【００７８】
構成テーブルでは、同じＤＭＲＳグループ内のポートが最初に割り当てられる。同じＤＭＲＳグループ内のポートが割り当てられた後にのみ、異なるグループに属するポートが同じＵＥに割り当てられます。さらに、構成されたＭＵ−ＭＩＭＯポートの総数は、ＤＭＲＳグループに含まれるポートの数よりも多くなる。したがって、構成テーブルには、ＤＭＲＳグループインデックス０だけではなく、少なくともＤＭＲＳグループインデックス０および１が含まれる。つまり、少なくともインデックス０および１のＤＭＲＳグループが割り当てられる。
【００７９】
ケース２：構成されたポートの数が２を超え、かつ、構成されたポートｉｎｄｅｘのうちＮ１-１を超えるｉｎｄｅｘが１つもない。
【００８０】
ケース２：構成されたポートの数が２より大きく、構成された最大ポートインデックスがＮ１−１以下である場合、現在構成されたＭＵ−ＭＩＭＯポートの総数はＮ１以下であり、 ＤＭＲＳシンボルの数は１である。
【００８１】
上記ポート割り当て原則によれば、ＤＭＲＳ ｇｒｏｕｐ内のポートが優先的に割り当てられ、少なくともＤＭＲＳ ｇｒｏｕｐ ｉｎｄｅｘ０およびＤＭＲＳ ｇｒｏｕｐ ｉｎｄｅｘ１が含まれることを決定し、ＤＭＲＳ ｇｒｏｕｐ ｉｎｄｅｘ０のみが含まれるケースがない。すなわち、ここで割り当てられたDMRＳ groupは、少なくともＤＭＲＳ ｇｒｏｕｐ ｉｎｄｅｘ０およびＤＭＲＳ ｇｒｏｕｐ ｉｎｄｅｘ１を含む。
【００８２】
上述の原則およびケースによれば、７５ビットの構成がＤＭＲＳ構成テーブルにリストされており、そのために７ビットのシグナリングが必要である。さまざまな情報を個別に示すために必要な８ビットシグナリングと比較して、１ビットを節約できる。すべての構成がＤＭＲＳグループの異なる組み合わせまたは異なるＤＭＲＳシンボルの数に関係するわけではないため、オーバーヘッドの一部を削減できる。
【００８３】
【表４−１】
2021503847.tif 000006
【表４−２】
2021503847.tif 000007
【表４−３】
2021503847.tif 000008
【００８４】
スキーム２：
表５に示すように、異なるＤＭＲＳシンボルの数のＤＭＲＳグループに一緒に番号を付けて、ＤＭＲＳグループおよびＤＭＲＳシンボルの数を示す。
【００８５】
【表５】
2021503847.tif 000009
【００８６】
以下の表６は、表５に示されるＤＭＲＳ ｇｒｏｕｐ番号のＤＭＲＳの構成テーブルフォーマットを採用し、割り当てられた原則はスキーム１と同じであるが、指示形のみが異なる。
【００８７】
【表６−１】
2021503847.tif 000010
【表６−２】
2021503847.tif 000011
【表６−３】
2021503847.tif 000012
【００８８】
図２および３に示されるパイロットパターンのＤＭＲＳグループインデックスは表７のように定義できる。
【００８９】
【表７】
2021503847.tif 000013
【００９０】
図４および５に示されるパイロットパターンのＤＭＲＳグループインデックスは、表８のおうに定義できる。
【００９１】
【表８】
2021503847.tif 000014
【００９２】
図２または３によって示されるパイロットパターンのＰＤＳＣＨチャネルについて、ＤＭＲＳの構成テーブルは、表９のように設定され得る。
【００９３】
【表９−１】
2021503847.tif 000015
【表９−２】
2021503847.tif 000016
【００９４】
図４または５によって示されるパイロットパターンのＰＤＳＣＨチャネルについて、ＤＭＲＳの構成テーブルは、表１０のように設定され得る。
【００９５】
【表１０−１】
2021503847.tif 000017
【表１０−２】
2021503847.tif 000018
【表１０−３】
2021503847.tif 000019
【００９６】
図２または３によって示されるパイロットパターンのPUＳCHチャネルについて、ＤＭＲＳの構成テーブルは、表１１のように設定され得る。
【００９７】
【表１１】
2021503847.tif 000020
【００９８】
図４または５によって示されるパイロットパターンのＰＵＳＣＨチャネルについて、ＤＭＲＳの構成テーブルは、表１２として設定され得る。
【００９９】
【表１２−１】
2021503847.tif 000021
【表１２−２】
2021503847.tif 000022
【表１２−３】
2021503847.tif 000023
【０１００】
図２または３によって示されるパイロットパターンのＰＵＳＣＨチャネルについて、シングルキャリア波形である場合、ＤＭＲＳの構成テーブルは、表１３として設定され得る。
【０１０１】
【表１３】
2021503847.tif 000024
【０１０２】
対照のため、ＤＭＲＳ ｇｒｏｕｐ ｉｎｄｅｘ、ＤＭＲＳシンボルの数およびポート情報を同一の構成テーブルに合併しないと、ＤＭＲＳの構成テーブルそれぞれは、以下の表に示すようである。
【０１０３】
図２または３によって示されるパイロットパターンのPDＳCHチャネルについて、ＤＭＲＳの構成テーブルは、表１４（上記表9と対照）として設定され得る。
【０１０４】
【表１４】
2021503847.tif 000025
【０１０５】
図４または５によって示されるパイロットパターンのＰＤＳＣＨチャネルについて、ＤＭＲＳの構成テーブルは、表１５（上記表１０と対照）として設定され得る。
【０１０６】
【表１５】
2021503847.tif 000026
【０１０７】
図２または３によって示されるパイロットパターンのＰＵＳＣＨチャネルについて、ＤＭＲＳの構成テーブルは、表１６（上記表１１と対照）として設定され得る。
【０１０８】
【表１６】
2021503847.tif 000027
【０１０９】
図４または５によって示されるパイロットパターンのＰＵＳＣＨチャネルについて、ＤＭＲＳの構成テーブルは、表１７（上記表１２と対照）として設定され得る。
【０１１０】
【表１７】
2021503847.tif 000028
【０１１１】
図２または３によって示されるパイロットパターンのPUＳCHチャネルについて、ＤＭＲＳの構成テーブルは、表１８（上記表１３と対照）として設定され得る。
【０１１２】
【表１８】
2021503847.tif 000029
【０１１３】
上記の異なる状況について、表４、６、９、１０、１１、１２および１３によって示される構成テーブルが、ネットワーク装置がＵＥに割り当てられたＤＭＲＳポートを示すために使用され得ることが分かる。、および端末側装置ＵＥが占有するＤＭＲＳポートリソースを決定する。
【０１１４】
上記の事前設定された構成テーブルに基づいて、情報指示のための方法および装置、ならびにリソース決定のための方法および装置を以下に紹介する。
【０１１５】
図６に示すように、ネットワーク側で、本発明の実施形態によって提供される情報指示のための方法は、ステップＳ１０１およびＳ１０２を含む。
【０１１６】
Ｓ１０１：所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含む。
【０１１７】
例えば、前記構成テーブルは、異なる状況に応じて、表４、６、９、１０、１１、１２、および１３のうちのいずれか１つを採用することができる。
【０１１８】
Ｓ１０２：前記指示情報を前記端末に通知する。
【０１１９】
当該情報指示のための方法によれば、所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含み、前記指示情報を前記端末に通知する。これにより、ＤＭＲＳポートのリソース占有状態の指示、および端末による占有すべき復調参照信号（ＤＭＲＳ）ポートリソースの決定が実現され得る。構成テーブルはＤＭＲＳグループ情報およびＤＭＲＳポート情報を含むため、ＤＭＲＳグループ情報とＤＭＲＳポート情報を別々に送信する場合と比較して、シグナリングオーバーヘッドを削減できる。
【０１２０】
任意選択で、前記ＤＭＲＳグループ情報は、ＤＭＲＳグループインデックス（ｇｒｏｕｐ ｉｎｄｅｘ）およびＤＭＲＳシンボルの数を含む。
【０１２１】
任意選択で、前記ＤＭＲＳポート情報は、ＤＭＲＳポートインデックスを含む。
【０１２２】
任意選択で、前記構成テーブルは構成インデックスをさらに含む。
【０１２３】
任意選択で、前記指示情報は前記構成インデックスを含む。
【０１２４】
たとえば、端末とネットワーク側装置では、表４、６、９、１０、１１、１２、１３が事前設定されている。ネットワーク側装置は、いずれかのテーブルの最初の列にリストされている構成インデックスを端末に送信できる。これにより、端末は、当該構成Ｉｎｄｅｘに従って、対応の構成テーブルを検索し、当該構成インデックスに対応するＤＭＲＳポートリソースを決定できる。
【０１２５】
任意選択で、前記構成テーブルは、ＤＭＲＳ構成層の数をさらに含む。
【０１２６】
任意選択で、前記構成テーブルのＤＭＲＳポート割り当て原則は、ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトする。
【０１２７】
任意選択で、ＤＭＲＳが１つのＯＦＤＭシンボルを含む場合、サポートされるポートの最大数はＮ１（たとえば、図４に示すパイロットパターンの場合、Ｎ１は６である）であり、ＤＭＲＳが２つの直交周波数分割多重ＯＦＤＭシンボルを含む場合、サポートされるポートの最大数はＮ２（たとえば、図５に示すパイロットパターンの場合、Ｎ２は１２である）であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含む。
【０１２８】
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含む。
【０１２９】
任意選択で、前記構成テーブルは５つの列を含み、たとえば、上記表４に示すように、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数である。
【０１３０】
任意選択で、前記構成テーブルは４つの列を含み、たとえば、上記表６に示すように、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なる。
【０１３１】
任意選択で、当該方法では、前記端末に前記所定の構成テーブルに対応するＤＭＲＳパイロットパターン指示情報を送信する。例えば、図２〜５に示すパイロットパターン４種がある場合。ネットワーク側装置は、対応する構成テーブルが使用されるべきパイロットパターンを端案津に事前に通知し得る。
【０１３２】
これに応じて、図７に示すように、本発明の実施形態による、ＵＥ側で実行されるリソース決定の方法は、ステップＳ２０１およびＳ２０２を含む。
【０１３３】
Ｓ２０１：ネットワーク側によって送信された端末によって占有されるべき復調参照信号（ＤＭＲＳ）ポートリソースの指示情報を受信する。
【０１３４】
Ｓ２０２：所定の構成テーブルおよび前記指示情報に従って、前記端末によって占有されるべきＤＭＲＳポートリソースを決定し、前記構成テーブルは、ＤＭＲＳグループ情報およびＤＭＲＳポート情報を含む。
【０１３５】
任意選択で、当該方法では、さらに、ネットワーク側によって送信されたＤＭＲＳパイロットパターン指示情報を受信し、
前記ＤＭＲＳパイロットパターン指示情報に対応する前記所定の構成テーブルを決定する。
【０１３６】
例えば、図２〜５に示すパイロットパターン４種がある場合、ネットワーク側によって送信されたＤＭＲＳパイロットパターン指示情報は、端末に図５に示すパイロットパターンを採用するように指示する。端末は、図５に示すパイロットパターンに対応する構成テーブル（たとえば、表４）を選択する。表４とネットワーク側装置から通知された構成インデックスを使用して、端末は表４において、構成インデックスに対応するＤＭＲＳポートを検索することにより、当該端末によって占有されるべきＤＭＲＳポートリソースを決定する。
【０１３７】
図８によって示されるように、本発明の実施形態による情報指示のための装置は、メモリ５２０、プロセッサ５００および送受信機５１０を含む。
【０１３８】
メモリ５２０は、プログラム命令を格納するように構成される。
【０１３９】
プロセッサ５００は、前記メモリに格納されたプログラム命令を読み取り、取得されたプログラムに従って以下の動作を実行するように構成される。
【０１４０】
前記プロセッサ５００は、所定の構成テーブルに従って、端末によって占有されるべき復調参照信号（ＤＭＲＳ）ポートリソースの指示情報を決定し、前記構成テーブルはＤＭＲＳグループ情報およびＤＭＲＳポート情報を含む。
【０１４１】
前記指示情報を送受信機５１０により前記端末に通知する。
【０１４２】
任意選択で、前記ＤＭＲＳグループ情報は、ＤＭＲＳグループインデックス（ｇｒｏｕｐ ｉｎｄｅｘ）およびＤＭＲＳシンボルの数を含む。
【０１４３】
任意選択で、前記ＤＭＲＳポート情報は、ＤＭＲＳポートインデックスを含む。
【０１４４】
任意選択で、前記構成テーブルは構成インデックスをさらに含む。
【０１４５】
任意選択で、前記指示情報は前記構成インデックスを含む。
【０１４６】
任意選択で、前記構成テーブルは、ＤＭＲＳ構成層の数をさらに含む。
【０１４７】
任意選択で、前記構成テーブルのＤＭＲＳポート割り当て原則は、ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトする。
【０１４８】
任意選択で、ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含む。
【０１４９】
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含む。
【０１５０】
任意選択で、前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数である。
【０１５１】
任意選択で、前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なる。
【０１５２】
任意選択で、前記プロセッサはさらに、
送受信機５１０により、前記端末に前記所定の構成テーブルに対応するＤＭＲＳパイロットパターン指示情報を送信する。
【０１５３】
送受信機５１０は、プロセッサ５００の制御の下でデータを送受信する。
【０１５４】
ここで、図８において、バスアーキテクチャは、いずれ数の相互接続するバス及びブリッジを備える。具体的に、プロセッサ５００によって表される１つまたは複数のプロセッサ及びメモリ５２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を管理し、メモリ５２０は、プロセッサ５００が動作する際に利用するデータを記憶することができる。
【０１５５】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０１５６】
図９に示されるように、本発明の実施形態による、ＵＥ側でのリソース決定のための装置は、メモリ６２０、プロセッサ６００、および送受信機６１０を含む。
【０１５７】
メモリ６２０は、プログラム命令を格納するように構成される。
【０１５８】
プロセッサ６００は、前記メモリに格納されたプログラム命令を読み取り、取得されたプログラムに従って以下の動作を実行するように構成される。
【０１５９】
前記プロセッサ６００は、送受信機６１０によりネットワーク側によって送信された端末によって占有されるべき復調参照信号（ＤＭＲＳ）ポートリソースの指示情報を受信し、
所定の構成テーブルおよび前記指示情報に従って、前記端末によって占有されるべきＤＭＲＳポートリソースを決定し、前記構成テーブルは、ＤＭＲＳグループ情報およびＤＭＲＳポート情報を含む。
【０１６０】
任意選択で、前記プロセッサ６００はさらに、送受信機６１０によりネットワーク側によって送信されたＤＭＲＳパイロットパターン指示情報を受信し、
前記ＤＭＲＳパイロットパターン指示情報に対応する前記所定の構成テーブルを決定する。
【０１６１】
送受信機６１０は、プロセッサ６００の制御の下でデータを送受信する。
【０１６２】
ここで、図９において、バスアーキテクチャは、いずれ数の相互接続するバス及びブリッジを備える。具体的に、プロセッサ６００によって表される１つまたは複数のプロセッサ及びメモリ６２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザ設備に対し、ユーザインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１６３】
プロセッサ６００は、バスアーキテクチャ及び通常の処理を管理し、メモリ６２０は、プロセッサ６００が動作する際に利用するデータを記憶することができる。
【０１６４】
選択可能で、プロセッサ６００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０１６５】
図１０に示すように、本発明の実施形態によって提供される情報指示のための別の装置は、
所定の構成テーブルに従って、端末によって占有されるべき復調参照信号（ＤＭＲＳ）ポートリソースの指示情報を決定するように構成された決定ユニット１１と、
前記指示情報を前記端末に通知するように構成された指示ユニット１２とを備える。
【０１６６】
前記構成テーブルはＤＭＲＳグループ情報およびＤＭＲＳポート情報を含む。
【０１６７】
図１１に示すように、本発明の実施形態によって提供されるリソース決定のための別の装置は、
ネットワーク側によって送信された端末によって占有されるべき復調参照信号（ＤＭＲＳ）ポートリソースの指示情報を受信するように構成された受信ユニット２１と、
所定の構成テーブルおよび前記指示情報に従って、前記端末によって占有されるべきＤＭＲＳポートリソースを決定するように構成された決定ユニット２２とを備える。
【０１６８】
前記構成テーブルは、ＤＭＲＳグループ情報およびＤＭＲＳポート情報を含む。
【０１６９】
したがって、本発明の実施形態による技術的解決策は、ＮＲシステムにおいて数少ないビットを使用することによってポートの数などの指示情報を通知することができる。
【０１７０】
本発明の実施形態は、上記のコンピューティング装置に対して実行可能なコンピュータ命令を記憶するように構成されたコンピュータ記憶媒体をさらに提供する。上記コンピュータ命令は、情報指示のための方法またはリソース決定のための方法のプログラムを含む。
【０１７１】
コンピュータ記憶媒体は、磁気メモリ（例えば、フロッピーディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））などを含むがこれらに限定されない、コンピュータにアクセス可能な任意の利用可能な媒体またはデータ記憶装置であり得る。
【０１７２】
本発明の実施形態によって提供される方法は、端末装置もネットワーク装置も適用できる。
【０１７３】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザ設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザ設備は、ＭＴ（Ｃｅｌｌｕｌａｒ  ｐｈｏｎｅとも呼ばれる）、無線通信機能を有するコンピュータなどを含むこともできる。ユーザ設備は、携帯式、ポケット式、手持ち式、コンピュータに内蔵されるかまたは、車載の移動装置であることもできる。
【０１７４】
ネットワーク装置は、基地局（例えば、接続点）であってもよく、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【０１７５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１７６】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１７７】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１７８】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１７９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１８０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１８１】
11  決定ユニット
12  指示ユニット
21  受信ユニット
22  決定ユニット
500  プロセッサ
510  送受信機
520  メモリ
600  プロセッサ
610  送受信機
620  メモリ
630  ユーザインターフェース
【図１】
2021503847.tif 000030
【図２】
2021503847.tif 000031
【図３】
2021503847.tif 000032
【図４】
2021503847.tif 000033
【図５】
2021503847.tif 000034
【図６】
2021503847.tif 000035
【図７】
2021503847.tif 000036
【図８】
2021503847.tif 000037
【図９】
2021503847.tif 000038
【図１０】
2021503847.tif 000039
【図１１】
2021503847.tif 000040
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
所定の構成テーブルに従って、端末によって占有されるべき復調参照信号（ＤＭＲＳ）ポートリソースの指示情報を決定するステップと、
前記指示情報を前記端末に通知するステップとを備え、
前記構成テーブルはＤＭＲＳグループ情報およびＤＭＲＳポート情報を含むことを特徴とする情報指示のための方法。
【請求項２】
前記ＤＭＲＳグループ情報は、ＤＭＲＳグループインデックス（ｇｒｏｕｐ ｉｎｄｅｘ）およびＤＭＲＳシンボルの数を含むことを特徴とする請求項１に記載の情報指示のための方法。
【請求項３】
前記ＤＭＲＳポート情報は、ＤＭＲＳポートインデックスを含むことを特徴とする請求項１に記載の情報指示のための方法。
【請求項４】
前記構成テーブルは構成インデックスをさらに含むことを特徴とする請求項１に記載の情報指示のための方法。
【請求項５】
前記指示情報は前記構成インデックスを含むことを特徴とする請求項４に記載の情報指示のための方法。
【請求項６】
前記構成テーブルは、ＤＭＲＳ構成層の数をさらに含むことを特徴とする請求項１に記載の情報指示のための方法。
【請求項７】
前記構成テーブルのＤＭＲＳポート割り当て原則は、
ＤＭＲＳポートをＵＥに割り当てるときに、各ＤＭＲＳポートおよび各ＤＭＲＳグループのインデックス番号を、それぞれ、最小から最大の順序で０から始まる数値に設定し、インデックス番号が０より大きい場合、インデックス番号が当該ＤＭＲＳ ｇｒｏｕｐのインデックス番号よりも小さいＤＭＲＳ ｇｒｏｕｐも当該端末に占有されたとデフォルトすることを特徴とする請求項１に記載の情報指示のための方法。
【請求項８】
ＤＭＲＳが１つのＯＦＤＭシンボルを含む場合、サポートされるポートの最大数はＮ１であり、ＤＭＲＳが２つの直交周波数分割多重ＯＦＤＭシンボルを含む場合、サポートされるポートの最大数はＮ２であり、各ＤＭＲＳポートおよび各ＤＭＲＳ ｇｒｏｕｐのインデックス番号を、最小から最大の順序で０から始まる数値に設定し、前記構成テーブルには、以下のケースの1つまたは組み合わせが含まれる：
ケース１：端末のＤＭＲＳポートに対して構成されたｉｎｄｅｘのうちの１つがＮ１-１より大きい場合、
現在構成されたＭｕ−ＭＩＭＯ送信用のＤＭＲＳポートの総数はＮ１より大きく、ＤＭＲＳは２つのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０およびＤＭＲＳ ｇｒｏｕｐ ｉｎｄｅｘ１を含み、
ケース２：端末に対して構成されたＤＭＲＳポートの数が２よりも大きく、構成されたＤＭＲＳポートのｉｎｄｅｘがＮ１-１以下である場合、
現在構成されたＭＵ−ＭＩＭＯ送信用のＤＭＲＳポートの総数はＮ１よりも大きくなく、ＤＭＲＳは、１つのみのＯＦＤＭシンボルを含み、
前記ＤＭＲＳポート割り当て原則に従って、ＤＭＲＳ ｇｒｏｕｐ内のＤＭＲＳポートを優先に割り当て、当該ＤＭＲＳ ｇｒｏｕｐは、少なくともＤＭＲＳ ｇｒｏｕｐ ｉｎｄｅｘ０及びＤＭＲＳ ｇｒｏｕｐ ｉｎｄｅｘ１を含むことを特徴とする請求項７に記載の情報指示のための方法。
【請求項９】
前記構成テーブルは５つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、第５の列は割り当てられたＤＭＲＳシンボルの数であることを特徴とする請求項１に記載の情報指示のための方法。
【請求項１０】
前記構成テーブルは４つの列を含み、ここで、第１の列はＤＭＲＳ構成ｉｎｄｅｘであり、第２の列は、当該ｉｎｄｅｘに対応する構成下の端末のＤＭＲＳ構成層の数であり、第３の列は、当該端末のＤＭＲＳ構成層の数に対応するＤＭＲＳポートｉｎｄｅｘであり、第４の列は、ＭＵ−ＭＩＭＯシステム内のすべての端末のＤＭＲＳポートに含まれるＤＭＲＳ ｇｒｏｕｐ ｉｎｄｅｘであり、ここで、異なるＤＭＲＳ ｇｒｏｕｐのインデックス番号に対応するＤＭＲＳシンボルの数は異なることを特徴とする請求項１に記載の情報指示のための方法。
【請求項１１】
前記端末に前記所定の構成テーブルに対応するＤＭＲＳパイロットパターン指示情報を送信することを特徴とする請求項１に記載の情報指示のための方法。
【請求項１２】
ネットワーク側によって送信された端末によって占有されるべき復調参照信号（ＤＭＲＳ）ポートリソースの指示情報を受信するステップと、
所定の構成テーブルおよび前記指示情報に従って、前記端末によって占有されるべきＤＭＲＳポートリソースを決定するステップとを備え、
前記構成テーブルは、ＤＭＲＳグループ情報およびＤＭＲＳポート情報を含むことを特徴とするリソース決定のため方法。
【請求項１３】
ネットワーク側によって送信されたＤＭＲＳパイロットパターン指示情報を受信し、
前記ＤＭＲＳパイロットパターン指示情報に対応する前記所定の構成テーブルを決定することを特徴とする請求項１２に記載のリソース決定のため方法。
【請求項１４】
所定の構成テーブルに従って、端末によって占有されるべき復調参照信号（ＤＭＲＳ）ポートリソースの指示情報を決定するように構成された決定ユニットと、
前記指示情報を前記端末に通知するように構成された指示ユニットとを備え、
前記構成テーブルはＤＭＲＳグループ情報およびＤＭＲＳポート情報を含むことを特徴とする情報指示のための装置。
【請求項１５】
ネットワーク側によって送信された端末によって占有されるべき復調参照信号（ＤＭＲＳ）ポートリソースの指示情報を受信するように構成された受信ユニットと、
所定の構成テーブルおよび前記指示情報に従って、前記端末によって占有されるべきＤＭＲＳポートリソースを決定するように構成された決定ユニットとを備え、
前記構成テーブルは、ＤＭＲＳグループ情報およびＤＭＲＳポート情報を含むことを特徴とするリソース決定のための装置。
【国際調査報告】
2021503847.tif 000041
2021503847.tif 000042
2021503847.tif 000043
2021503847.tif 000044